(57)【要約】      （修正有）【課題】商品の万引き等の不正行為を抑制できる商品盗難検出用コード及びかかるコードとこれを接続する警報装置とを含む商品盗難監視装置を提供する。【解決手段】一対の主リードの一端が商品連結用の主ループリードで短絡され、他端がプラグ１５に接続された商品盗難検出用コードであり、一端に商品連結用の副ループリードが接続された副リードが、主リードに、各主リード及び副リード間を相互絶縁状態として沿わされているとともに、副ループリードが主ループリードに相互絶縁状態に沿わされており、プラグ１５として３極プラグが採用され、該プラグの二つの極部に主リードの他端が接続され、残り一極部に副リードの他端が接続されており、主リードの切断、主ループリードの切断、主リードと副リードとの短絡及び主ループリードと副ループリードとの短絡のうち少なくとも一つの発生により商品盗難を検出する商品盗難検出用コード１。【選択図】  図１
2007065730.tif 000002
【特許請求の範囲】
【請求項１】
一対の主リードの一端が商品連結用の主ループリードで短絡され、該一対の主リードの他端がプラグに接続され、該主ループリードで、商品の、開孔を有する閉環状部に連結可能である商品盗難検出用コードであり、一端に商品連結用の副ループリードが接続された副リードが、前記一対の主リードに、該各主リード及び該副リード間を相互絶縁状態として沿わされているとともに、該副ループリードが該主ループリードに相互絶縁状態に沿わされており、前記プラグとして３極プラグが採用され、該３極プラグの二つの極部に該一対の主リードの他端が接続され、残り一極部に該副リードの他端が接続されており、該一対の主リードのうち少なくとも一方の切断、該主ループリードの切断、該一対の主リードのうち少なくとも一方と該副リードとの短絡及び該主ループリードと副ループリードとの短絡のうち少なくとも一つの発生により商品盗難を検出することを特徴とする商品盗難検出用コード。
【請求項２】
請求項１記載の商品盗難検出用コードの少なくとも一つと、該商品盗難検出用コードの前記３極プラグが接続される警報装置とを含み、該警報装置は、該商品盗難検出用コードが接続された状態で前記一対の主リードと前記主ループリードとで形成される一連の回路の開成により警報を発する主警報回路と、前記一対の主リードのうち少なくとも一方と前記副リードとの短絡及び前記主ループリードと前記副ループリードとの短絡のうち少なくとも一方が発生すると警報を発する中途短絡警報回路とを含んでいることを特徴とする商品盗難監視装置。
【発明の詳細な説明】
【技術分野】
【０００１】
本発明は、商品の万引き等を抑制するための商品盗難検出用コード及び商品盗難監視装置に関する。
【背景技術】
【０００２】
店頭に展示等される商品の万引き等を抑制するするための商品盗難監視装置については、これまで様々のものが提案されてきた。例えば、特開２００３−３０７５７号公報や特開２００３−７７０７３号公報には、商品に取り付けられる盗難検出器を２本一対のリードからなる通電コードにて警報装置に接続する商品盗難監視装置が記載されている。
【０００３】
これら公報に記載された監視装置においては、商品に取り付ける盗難検出器は、前記通電コードに接続された検出用スイッチを含んでいる。該盗難検出器は、スイッチ接点を閉じた状態として、換言すれば通電コードの２本のリードをスイッチで短絡させた状態として、接着剤、ネジ機構（例えば、カメラの三脚取付け用雌ネジ利用のもの）等により商品に固定される。
【０００４】
商品に取り付けた盗難検出器のうち、少なくとも一つにおいて、該検出器が外される等してスイッチ接点が開いたり、通電コードのリードが切断される等して、通電コードの２本のリードが開成状態に置かれると、警報装置が警報を発する。
【０００５】
【特許文献１】特開２００３−３０７５７号公報
【特許文献２】特開２００３−７７０７３号公報
【発明の開示】
【発明が解決しようとする課題】
【０００６】
しかし、商品によっては、盗難検出器を商品に接着剤等で固定することが困難であったり、見苦しい等の場合もある。このような場合には、スイッチを含む盗難検出器に代えて、図４に示すように、通電コードを構成している一対のリードＬ１を商品取付け用ループリードＬ２で短絡させた商品盗難検出用コードＳＣを用いることが考えられる。この場合、ループリードＬ２を、例えば、商品に設けられた閉じ環状部の開孔、さらに例示すると、図４に示すように、商品Ｇのハンドストラップ取付け用の閉環状部Ｒの開孔ｈに通し連結し、該リードＬ１やループリードＬ２が切断されると、該コードＳＣが接続された警報装置において警報を発するようにすればよい。
【０００７】
ところが、前記公報に記載されているようにスイッチを含む盗難検出器を採用する場合であれ、図４に示すように、商品取付け用ループリードＬ２を採用する場合であれ、かかるスイッチやループリードに接続された２本のリードからなる一本化された通電コードの部分は、通常、樹脂材等の耐熱性の低い絶縁材料で両リード間の絶縁が保たれる。
【０００８】
そのため、万引き等を行わんとする者が、簡易ライター等により通電コードＣの部分を炙って、両リードを短絡させた状態を作り、その状態で盗難検出器を商品から外したり、ループリードを切断したりすると、警報装置が警報を発しない。
【０００９】
かかる危険性は、図４にすように、一対のリードＬ１を商品取付け用ループリードＬ２で短絡させた商品盗難検出用コードＳＣを用いる場合に特に大きい。何故なら、商品盗難検出用コードＳＣは、ループリードＬ２に比べると重くて、嵩張るスイッチを含む盗難検出器を保持する必要がないから、比較的細く形成してもよく、そうすると、ライター等で炙って、絶縁性材料を溶かす等して簡単に両リードＬ１を短絡させることができるからである。
【００１０】
そこで本発明は、一対の主リードの一端が商品連結用の主ループリードで短絡され、該一対の主リードの他端がプラグに接続され、該主ループリードで、商品の、開孔を有する閉環状部に連結可能である商品盗難検出用コードであって、該主リードを切断する行為や主ループリードを切断する行為に加え、該一対の主リードを短絡させようとする行為や該主ループリードを途中で短絡させようとする行為も検出でき、それらにより、該商品盗難検出用コードが連結された商品の万引き等を抑制することができる商品盗難検出用コードを提供することを課題とする。
【００１１】
また本発明は、かかる商品盗難検出用コード及び該商品盗難検出用コードが接続される警報装置とを含む商品盗難監視装置であって、該商品盗難検出用コードの主リードを切断する行為や主ループリードを切断する行為に加え、一対の主リードを短絡させようとする行為や主ループリードを途中で短絡させようとする行為も検出して警報を発することができ、それにより、該商品盗難検出用コードが連結された商品の万引き等を抑制することができる商品盗難監視装置を提供することを課題とする。
【課題を解決するための手段】
【００１２】
本発明は前記課題を解決するため、次の商品盗難検出用コード及び商品盗難監視装置を提供する。
（１）商品盗難検出用コード
一対の主リードの一端が商品連結用の主ループリードで短絡され、該一対の主リードの他端がプラグに接続され、該主ループリードで、商品の、開孔を有する閉環状部に連結可能である商品盗難検出用コードであり、一端に商品連結用の副ループリードが接続された副リードが、前記一対の主リードに、該各主リード及び該副リード間を相互絶縁状態として沿わされているとともに、該副ループリードが該主ループリードに相互絶縁状態に沿わされており、前記プラグとして３極プラグが採用され、該３極プラグの二つの極部に該一対の主リードの他端が接続され、残り一極部に該副リードの他端が接続されており、該一対の主リードのうち少なくとも一方の切断、該主ループリードの切断、該一対の主リードのうち少なくとも一方と該副リードとの短絡及び該主ループリードと副ループリードとの短絡のうち少なくとも一つの発生により商品盗難を検出する商品盗難検出用コード。
【００１３】
（２）商品盗難監視装置
前記商品盗難検出用コードの少なくとも一つと、該商品盗難検出用コードの前記３極プラグが接続される警報装置とを含み、該警報装置は、該商品盗難検出用コードが接続された状態で前記一対の主リードと前記主ループリードとで形成される一連の回路の開成により警報を発する主警報回路と、前記一対の主リードのうち少なくとも一方と前記副リードとの短絡及び前記主ループリードと前記副ループリードとの短絡のうち少なくとも一方が発生すると警報を発する中途短絡警報回路とを含んでいる商品盗難監視装置。
【００１４】
本発明に係る商品盗難検出用コードは、互いに沿わされた主ループリードと副ループリードとを含むループ部分を、例えば、商品の、閉環状部の開孔に通し、通し出したループ部分に該コードを通すことで商品に連結する一方、前記３極プラグを、本発明に係る商品盗難監視装置における警報装置に接続して用いる。
【００１５】
本発明に係る商品盗難検出用コードによると、盗み等を目的に、商品に連結された商品盗難検出用コードの主リードの部分や主ループリードの部分が切断されると、２本の主リードとこれを短絡させる主ループリードから形成されていた一連の回路が開成し、それにより、該商品盗難検出用コードは商品盗難を検出できる。
【００１６】
また、カッター等を主リードの部分に切り込ませて一対の主リードに渡し接触させたり、ホッチキスでステープルを打ち込んだりして、両主リードを短絡させようとしたり、一対の主リード部分をライター等で炙って絶縁材を損傷させ、両主リードを短絡させようとすると、該一対の主リードに沿わされた副リードにもカッター等が接触したり、該副リードが少なくとも一方の主リードと接触して、主リードのうち少なくとも一方と副リードとが短絡する結果となり、これにより、該商品盗難検出用コードは商品の盗難を検出できる。
【００１７】
また、カッター等を、商品に連結した主ループリードの、例えば、商品に掛けられた部分より手前側部分に切り込ませて該主ループリード部分を途中で短絡させたり、該手前側部分をライター等で炙って該主ループリード部分を途中で短絡させたりすると、該主ループリードに沿わされた副ループリードが主ループリードに短絡する結果となり、これにより、該商品盗難検出用コードは商品の盗難を検出できる。
【００１８】
本発明に係る商品盗難監視装置によると、警報装置に接続された本発明に係る商品盗難検出用コードにおいて、主リードの部分や主ループリードの部分が切断されると、主警報回路が警報を発し、商品盗難行為を知らせる。
【００１９】
また、一対の主リードのうち少なくとも一方と副リードとの短絡及び主ループリードと副ループリードとの短絡のうち少なくとも一つが発生すると、中途短絡警報回路が警報を発し、商品盗難行為を知らせる。
【００２０】
かくして、本発明に係る商品盗難検出用コード、商品盗難監視装置によると、商品の万引き等をそれだけ抑制することができる。
【発明の効果】
【００２１】
以上説明したように本発明によると、一対の主リードの一端が商品連結用の主ループリードで短絡され、該一対の主リードの他端がプラグに接続され、該主ループリードで、商品の、開孔を有する閉環状部に連結可能である商品盗難検出用コードであって、該主リードを切断する行為や主ループリードを切断する行為に加え、該一対の主リードを短絡させようとする行為や該主ループリードを途中で短絡させようとする行為も検出でき、それらにより、該商品盗難検出用コードが連結された商品の万引き等を抑制できる商品盗難検出用コードを提供することができる。
【００２２】
また本発明によると、かかる商品盗難検出用コード及び該商品盗難検出用コードが接続される警報装置とを含む商品盗難監視装置であって、該商品盗難検出用コードの主リードを切断する行為や主ループリードを切断する行為に加え、一対の主リードを短絡させようとする行為や主ループリードを途中で短絡させようとする行為も検出して警報を発することができ、それにより、該商品盗難検出用コードが連結された商品の万引き等を抑制できる商品盗難監視装置を提供することができる。
【発明を実施するための最良の形態】
【００２３】
以下本発明の実施形態を図面を参照して説明する。
図１は本発明に係る商品盗難検出用コードの１例１を商品Ｇに連結した状態で示している。図２は該コード１における配線状態を示している。図３はかかるコード１を含む商品盗難監視装置Ａを示している。
【００２４】
商品盗難検出用コード１は、図１に示すように、全体として一本のコード部分１ａと、その一端に繋がった一本のループ部分１ｂと、コード部分１ａの他端に接続されたプラグ１５とからなっている。
【００２５】
図２に示すように、コード部分１ａは、本例では２本一対の主リード１１及びこれに沿わせた副リード１３を含んでいる。一対の主リード１１及びこれに沿う副リード１３は全体が一本化されて電気絶縁性樹脂で被覆されている。一対の主リード１１は電気絶縁性樹脂で相互に絶縁されているとともに、各主リード１１と副リード１３も電気絶縁性樹脂で相互に絶縁されている。
一対の主リード１１とこれを短絡させる主ループリード１２とは、全体として、一連の回路を形成している。
【００２６】
ループ部分１ｂは、一対の主リードの一端を短絡させた主ループリード１２と、これに沿う副ループリード１４とを含んでいる。副ループリード１４は、副リード１３の一端に接続されている（副リード１３と一体的である場合も含む）。主ループリード１２と副ループリード１４も一本化され、電気絶縁性樹脂で被覆されており、ループリード１２と１４は電気絶縁性樹脂で相互に絶縁されている。
【００２７】
プラグ１５は、それとは限定されないが、本例では、三つのプラグ部を同軸型に配置した３極プラグであり、一対の主リード１１のうち一方は３極プラグ１５の先端極部（先端プラグ部）１５１に接続されており、他方は真ん中の極部（プラグ部）１５２に接続されている。副リード１３は後端極部（後端プラグ部）１５３に接続されている。
【００２８】
この商品盗難検出用コード１は、そのループ部分１ｂを、図１に例示するように、商品Ｇの、例えばハンドストラップを取り付ける閉環状部（リング状部）Ｒの開孔ｈに通し、通し出した部分にコード部分１ａを通して引っ張ることで、商品Ｇに連結することができる。このように商品Ｇに連結した状態でプラグ１５を、このあと説明する、図３に示す警報装置２のコード接続部３に接続して用いるのである。
１又は複数本のコード１と警報装置２とで商品盗難監視装置Ａが構成される。
【００２９】
図３に示すように、警報装置２は、警報手段の一例としてのブザー２１及び抵抗Ｒ１と直列の発光ダイオード２２を備え、これらは一方ではメインスイッチ２３を介して、他方ではリレー常開接点ｒ１を介して電源２４に接続されている。また、電源２４にはトランジスタＴｒ及びリレーコイルＲｙが接続されている。
【００３０】
さらに、電源２４のプラス極には、抵抗Ｒ２、リレー常閉接点ｒ２及びスイッチＳを介して、後述するコード接続部３を接続するための端子部２６１が接続されており、電源２４の負極には、同じくコード接続部３を接続するための端子部２６２が接続されている。抵抗Ｒ２のリレー接点ｒ２側の端子はトランジスタＴｒのベースにも接続された構成となっている。これらは、警報装置２における主警報回路Ｃ１の構成メンバーである。
スイッチＳは、図示省略の警報装置ケースの蓋体を開くと開状態となり、該蓋体を閉じることで閉じられるスイッチである。
【００３１】
かかる主警報回路Ｃ１によると、メインスイッチ２３が閉じた状態で端子部２６１、２６２が短絡状態にあると、トランジスタＴｒはオフ状態にあり、リレーコイルＲｙは励磁されず、リレー接点ｒ１は開いた状態におかれる。従って、ブザー２１は鳴らず、発光ダイオード２２は点灯しない。
【００３２】
しかし、端子部２６１、２６２が開成すると、トランジスタＴｒのベースの電圧が高くなって、該トランジスタＴｒが導通し、リレーコイルＲｙが励磁されてその常開接点ｒ１が閉じるととも常閉接点ｒ２が開く。常開接点ｒ１が閉じるとダイオード２５を介してリレーコイルＲｙに電流が流れるので常開接点ｒ１は自己保持閉状態となり、これによってブザー２１が鳴るとともに、発光ダイオード２２が点灯する。この状態は端子部２６１、２６２が再び短絡されてもスイッチ２３を開成しない限り保持される。
図示の電源２４は電池であるが、これに代えて、或いはこれとともに他の電源を採用してもよい。
【００３３】
警報装置２は、さらに、電源２４のプラス極に、リレーコイルＲｙを介して接続された端子部２６３を含んでいる。これらは、前記のトランジスタＴｒ、リレー接点ｒ１、ブザー２１、発光ダイオード２２等とともに、中途短絡警報回路Ｃ２の構成メンバである。
なお、図１に示す回路において、Ｒ３、Ｒ４は抵抗、Ｃｏ１、Ｃｏ２はコンデンサである。
【００３４】
中途短絡警報回路Ｃ２によると、端子部２６３が端子部２６１と短絡すると、たとえ端子部２６１と２６２が短絡状態に維持されていても、トランジスタＴｒのベースの電圧が高くなって、該トランジスタＴｒが導通し、リレーコイルＲｙが励磁されてその常開接点ｒ１が閉じるととも常閉接点ｒ２が開く。常開接点ｒ１が閉じるとダイオード２５を介してリレーコイルＲｙに電流が流れるので常開接点ｒ１は自己保持閉状態となり、これによってブザー２１が鳴るとともに、発光ダイオード２２が点灯する。この状態は端子部２６３、２６１の短絡を再び解いても、もスイッチ２３を開成しない限り保持される。
また、端子部２６３が端子部２６２と短絡すると、リレーコイルＲｙが励磁され、常開接点ｒ１は自己保持閉状態となり、ブザー２１が鳴り、発光ダイオード２２が点灯し、警報が発せられる。この場合もメインスイッチ２３を開かない限りブザー２１及び発光ダイオード２２をオフすることはできない。
【００３５】
コード接続部３は、プラグ差し込みタイプのコネクタ（雌コネクタ）３１を複数直列接続した構成となっており、各コネクタ３１は、ライン３１１、３１２で前記の端子部２６１、２６２に接続されている。商品盗難検出用コード１は、そのプラグ１５を該ソケット３１に差し込むことで、一対の主リード１１を警報装置２の端子部２６１、２６２に接続することができ、これにより、該両端子部２６１、２６２間を短絡させることができる。      
【００３６】
また、各コネクタ３１は、一対の主リード１１を端子部２６１、２６２に接続するライン３１１、３１２から独立したライン３１３により、前記端子部２６３にも接続されている。商品盗難検出用コード１のプラグ１５を該コネクタ３１に差し込むことで、副リード１３を該端子部２６３に接続することができる。
【００３７】
商品盗難検出用コード１は、商品数等に応じて必要本数準備し、それらのプラグ１５を図３に例示するように、コード接続部３の直列接続されたコネクタ３１に差し込む。コード１により商品が連結されないコネクタ３１には適当な短絡手段３２（商品を連結しないコードでもよい）にて短絡させておけばよい。
【００３８】
以上説明した商品盗難監視装置Ａによると、警報装置２のコード接続部３のコネクタ３１にプラグ１５の部分で差し込み接続されたコード１、さらに言えば、予め図１に示すように監視対象商品Ｇにループ部１ｂで連結されて、プラグ１５の部分でコネクタ３１に差し込み接続されたコード１のいずれにおいても、コード部１ａの主リード１１が切断されたり、ループ部１ｂにおける主ループリード１２が切断されたりすることがなければ、さらに、コード部１ａにおける主リード１１と副リード１３とが短絡せしめられたり、ループ部１ｂにおける主ループリード１２と副ループリード１４とが短絡せしめられたりすることがなければ、従って、警報装置２における、端子部２６１、２６２の短絡状態が維持されるとともに、これら端子部と端子部２６３との絶縁が維持された状態では、警報装置２は警報を発しない。
【００３９】
しかし、万引きしようとする者等、許可されない者が、商品Ｇに連結された商品盗難検出用コード１のコード部１ａにおける主リード１１を切断したり、ループ部１ｂにおける主ループリード１２を切断したりすると、２本の主リード１１とこれを短絡させる主ループリード１２から形成されていた一連の回路が開成し、それにより、警報装置２における端子部２６１、２６２の短絡状態が解かれ、主警報回路Ｃ１において、ブザー２１が鳴り、発光ダイオード２２が点灯して警報が発せられる。
【００４０】
また、万引きしようとする者等、許可されない者が、カッター等をコード部１ａに切り込ませて一対の主リード１１に渡し接触させて両主リード１１を短絡させようとしたり、ホッチキスでステープルを打ち込んだりして両主リード１１を短絡させようとしたり、コード部１ａをライター等で炙って絶縁材を損傷させ、両主リード１１を短絡させようとすると、一対の主リード１１に沿わされた副リード１３にもカッター等が接触したり、副リード１３が少なくとも一方の主リード１１と接触したりして、主リード１１のうち少なくとも一方と副リード１３とが短絡し、これにより、警報装置２において、副リード１３に電気的に接続状態にある端子部２６３が端子部２６１、２６２のうち少なくとも一方と短絡する状態が発生し、それにより中途短絡警報回路Ｃ２が動作して、ブザー２１が鳴り、発光ダイオード２２が点灯して警報が発せられる。
【００４１】
また、カッター等を、商品Ｇに連結したループ部１ｂの、例えば、商品Ｇに掛けられた部分より手前側部分１ｂ’（図１参照）に切り込ませて主ループリード１２を途中で短絡させようとしたり、手前側部分１ｂ’をライター等で炙って主ループリード１２を途中で短絡させようとしたりすると、主ループリード１２に沿わされた副ループリード１４が主ループリード１２に短絡し、これにより、中途短絡警報回路Ｃ２が動作して、ブザー２１が鳴り、発光ダイオード２２が点灯して警報が発せられる。
【００４２】
このように、商品盗難検出用コード１及び商品盗難監視装置Ａによると、主リード１１を切断する行為や主ループリード１２を切断する行為に加え、該２本の主リード１１を短絡させようとする行為や該主ループリード１２を途中で短絡させようとする行為も検出して警報を発生させることができ、それらにより、該商品盗難検出用コードが連結された商品の万引き等を抑制することができる。
なお、プラグ１５をコード接続部３から引き抜いたり、警報装置ケースの蓋を開けてもても警報は発せられる。
【００４３】
図１の商品盗難監視装置Ａでは、さらに、補助警報手段である発光ダイオード２６がコード接続部３のコネクタ３１に対し、一対の主リード１１に導通する状態で接続されている。
一方、電源２４のプラス極には抵抗Ｒ４が接続され、この抵抗Ｒ４は他方ではリレー接点ｒ２に臨んでいる。リレー接点ｒ２は、異常がないときはトランジスタＴｒ側に閉じているが、盗難等が発生し、端子部２６１、２６２の短絡が解けたりすると、リレーコイルＲｙのオンにより自己保持状態で抵抗Ｒ４側に閉じて、盗難等に係るコード１のプラグ１５を差し込んだコネクタ３１におけるダイオード２６を点灯させる。これによって、盗難等に係る商品の判別が容易になる。
【産業上の利用可能性】
【００４４】
本発明は、店頭等で展示等される商品の万引き等を抑制することに利用できる。
【図面の簡単な説明】
【００４５】
【図１】本発明に係る商品盗難検出用コードをこれを連結した商品とともに示す図である。
【図２】図１に示すコードにおける配線状態を示す図である。
【図３】商品盗難監視装置の１例を示す図である。
【図４】商品連結コードの考えられる例を示す図である。
【符号の説明】
【００４６】
１  商品盗難検出用コード
１ａ  コード部
１ｂ  ループ部
１ｂ’  ループ部の手前側部分
１１  主リード
１２  主ループリード
１３  副リード
１４  副ループリード
１５  プラグ
Ａ  商品盗難監視装置
２  警報装置
Ｃ１  主警報回路
Ｃ２  中途短絡警報回路
２１  ブザー
２２、２６  発光ダイオード
２３  スイッチ
２４  電源
２５  ダイオード
Ｒｙ  リレーコイル
ｒ１、ｒ２  リレー接点
Ｔｒ  トランジスタ
Ｒ１、Ｒ２、Ｒ３、Ｒ４  抵抗
Ｃｏ１、Ｃｏ２  コンデンサ
２６１、２６２、２６３  端子部
３１３、３１２、３１４  ライン（接続線）
３  コード接続部
３１  コネクタ
ＳＣ  コード
Ｌ１  リード
Ｌ２  ループリード
【図１】
2007065730.tif 000003
【図２】
2007065730.tif 000004
【図３】
2007065730.tif 000005
【図４】
2007065730.tif 000006